(57)【要約】  【課題】  筐体内にプリント基板を傾斜させた状態で固定する電子機器のプリント基板の取り付け構造を提供する。  【解決手段】  筐体１内に設けられたプリント基板８の傾斜とほぼ同じ角度で傾斜する傾斜面１０ｇをボス１０ａの先端面に形成し、この傾斜面に、先端面がボスの軸線とほぼ直角に形成された一対のリブ１０ｅを、ボスのボス孔１０ｆを挟んで対向するよう突設すると共に、プリント基板側には、リブの離間方向に長い長孔８ｂを穿設して、この長孔をリブに嵌挿した状態で、長孔より挿入した固着具１１をボス孔に螺挿することにより、固着具の頭部１１ａと傾斜面との間でプリント基板を仮止めしたもので、固着具の頭部がリブの先端面に当接した状態でさらに固着具を締め付けても、固着具の頭部がリブの先端面に圧着されるだけで、プリント基板の長孔周辺に過大な締め付け力が作用することがない。【選択図】  図３
2006210382.tif 000002
【特許請求の範囲】
【請求項１】
筐体内に突設されたボスに、電子部品等が実装されたプリント基板を傾斜させて固定した電子機器のプリント基板固定構造であって、
前記ボスの先端面に前記プリント基板の傾斜とほぼ同じ角度で傾斜するように形成した傾斜面と、
前記傾斜面に、先端面が前記ボスの軸線とほぼ直角に形成され、且つ前記ボスのボス孔を挟んで対向するように突設された一対のリブと、
前記プリント基板側に穿設された前記リブの離間方向に長い長孔と、
を有して構成し、前記長孔を前記リブに嵌挿した状態で、前記長孔より挿入した固着具を前記ボス孔に螺挿することにより、前記固着具の頭部と前記傾斜面との間で前記プリント基板を仮止めすることを特徴とする電子機器のプリント基板の取り付け構造。
【請求項２】
筐体の上面に設けられたテンキーや機能キー等の操作ボタン群を有する操作パネルと、前記操作パネルの近傍に着脱自在に設けられたハンドセットとを備え、前記筐体内に請求項１に記載のプリント基板取り付け構造でプリント基板を仮り止めしたことを特徴とする電話機。
【発明の詳細な説明】
【技術分野】
【０００１】
本発明は、電子機器の筐体内に設けられたプリント基板の取り付け構造及びプリント基板取り付け構造を使用した電話機に関する。
【背景技術】
【０００２】
従来電話機のような電子機器には、筐体内に電子部品が実装されたプリント基板が設けられていて、近年電子機器の高機能化に伴い、筐体内に設けられたプリント基板も複数化されている。
【０００３】
電子部品が実装された複数、例えば２枚のプリント基板を筐体内に収容する場合、２枚のプリント基板を同一平面上に並設すると筐体が大型となるため、電子機器を小型化する上で支障となる。
【０００４】
このため２枚のプリント基板を上下２段に設けることによって電子機器の小型化を図ることになるが、プリント基板を上下２段に設けた場合、筐体が分厚い箱形となって、デザイン的に劣る上、使い勝手にも影響を及ぼしかねない。
【０００５】
かかる点に鑑み、電子機器が電話機の場合、プリント基板の一枚を筐体の底面と平行するようにほぼ水平に設置し、残りの１枚は、筐体上面の傾斜に沿うよう筐体内に傾斜させて設置することにより、筐体の厚さを厚くせずに筐体内に２枚のプリント基板を２段に重ねた状態で設置することができるようになる。
【０００６】
通常プリント基板を筐体内に取り付ける場合、筐体の内面に突設された複数のボス上にプリント基板を載置した状態で、プリント基板に穿設された取り付け孔より挿入したタッピングビス等の固着具をボス孔に螺挿することにより、筐体内にプリント基板を固定している。
【０００７】
しかしこの取り付け方法では、プリント基板を水平に固定する場合問題はないが、傾斜されたプリント基板を取り付ける場合次のような問題が生じる。
【０００８】
すなわち筐体の底板よりほぼ垂直に突設されたボスに固着具を締め込んで傾斜するプリント基板を固定しようとすると、固着具の頭部が傾斜したプリント基板に当接した時点で頭部にプリント基板より偏荷重が作用する。
【０００９】
このため、この状態でさらに固着具を締め込むと、固着具がボスの軸方向に対して傾いて締め込まれるため、その結果ボスに白化現象やクラックが発生して、ねじ部が破損したり、締め付け力が極端に低下する等の問題が生じる。
【００１０】
かかる問題を防止するため、例えば特許文献１で、傾斜したプリント基板の固定装置が提案されている。
【００１１】
前記特許文献１に記載されたプリント基板の固定装置は、固定面が傾斜されたプリント基板におけるボスの対応位置に、傾斜方向の上位側が固定ねじの頭部外径より大径の半円で形成され、傾斜方向の下位側が固定ねじの頭部外径より小径の半円で形成されたねじ貫通孔を設けて、このねじ貫通孔に挿入した固定ねじをボス孔に螺挿することにより、傾斜したプリント基板をボスに固定したもので、固定ねじの頭部外径より小径な半円部分のみ固着具の頭部が線接触するため、ねじ頭部の中心でプリント基板を固定できるように構成されている。
【特許文献１】特開平９−２３２７７４号公報
【発明の開示】
【発明が解決しようとする課題】
【００１２】
しかし前記特許文献１のプリント基板の固定装置のように、ねじ貫通孔の小径側半円部に固定ねじの頭部を係止したものでは、頭部の大半が大径側半円内に食い込んだ状態となるため、固定ねじを締め込んだ際プリント基板より受ける反力が小さくなり、その結果固定ねじの締め過ぎにより小径側半円部にクラックが発生して、プリント基板の固定力が低下したり、固定できなくなる等の問題がある。
【００１３】
本発明はかかる問題を改善するためになされたもので、筐体内にプリント基板を傾斜させた状態で固定する電子機器のプリント基板の取り付け構造及びプリント基板の取り付け構造を採用した電話機を提供することを目的とするものである。
【課題を解決するための手段】
【００１４】
本発明の電子機器のプリント基板の取り付け構造は、筐体内に突設されたボスに、電子部品等が実装されたプリント基板を傾斜させて固定した電子機器のプリント基板固定構造であって、ボスの先端面にプリント基板の傾斜とほぼ同じ角度で傾斜するように形成した傾斜面と、傾斜面に、先端面がボスの軸線とほぼ直角に形成され、且つボスのボス孔を挟んで対向するように突設された一対のリブと、プリント基板側に穿設されたリブの離間方向に長い長孔とを有して構成し、長孔を前記リブに嵌挿した状態で、長孔より挿入した固着具をボス孔に螺挿することにより、固着具の頭部と傾斜面との間でプリント基板を仮止めしたものである。
【発明の効果】
【００１５】
本発明は、前記構成により、固着具の頭部がリブの先端面に当接した状態で、長孔の周縁部が固着具の頭部に係止されるため、筐体に対しプリント基板を傾斜させた状態で仮り止めすることができると共に、この状態でさらに固着具を締め付けても、固着具の頭部がリブの先端面に圧着されるだけで、プリント基板の長孔周辺に過大な締め付け力が作用することがないため、長孔の周辺にクラックが発生するのを防止することができる。また、ボスに白化現象やクラックが発生するのを防止することができる。
【発明を実施するための最良の形態】
【００１６】
請求項１に記載の本発明の電子機器のプリント基板の取り付け構造は、筐体内に突設されたボスに、電子部品等が実装されたプリント基板を傾斜させて固定した電子機器のプリント基板固定構造であって、ボスの先端面にプリント基板の傾斜とほぼ同じ角度で傾斜するように形成した傾斜面と、傾斜面に、先端面が前記ボスの軸線とほぼ直角に形成され、且つボスのボス孔を挟んで対向するように突設された一対のリブと、プリント基板側に穿設されたリブの離間方向に長い長孔とを有して構成し、長孔をリブに嵌挿した状態で、長孔より挿入した固着具を前記ボス孔に螺挿することにより、固着具の頭部と傾斜面との間でプリント基板を仮止めしたものである。
【００１７】
請求項１に記載の本発明は、前記構成により、固着具の頭部がリブの先端面に当接した状態で、長孔の周縁部が固着具の頭部に係止されるため、筐体に対しプリント基板を傾斜させた状態で仮り止めすることができると共に、この状態でさらに固着具を締め付けても、固着具の頭部がリブの先端面に圧着されるだけで、プリント基板の長孔周辺に過大な締め付け力が作用することがないため、長孔の周辺にクラックが発生するのを防止することができる。
【００１８】
これによってプリント基板の固定力が低下したり、プリント基板が固定できなくなる等の問題を解消することができる。
【００１９】
また、請求項２に記載の本発明の電話機は、筐体の上面に設けられたテンキーや機能キー等の操作ボタン群を有する操作パネルと、操作パネルの近傍に着脱自在に設けられたハンドセットとを備え、筐体内に請求項１に記載のプリント基板取り付け構造でプリント基板を仮り止めしたものである。
【００２０】
請求項２に記載の本発明は、前記構成により、筐体内にプリント基板を傾斜させて設けることにより、筐体全体の薄型化が図れるため、電話機のデザインや使い勝手が向上する。
【００２１】
本発明に係る電子機器のプリント基板の取り付け構造を、電話機に採用した実施例について図面を参照して詳述する。
【００２２】
図１は電話機の上部筐体の断面図、図２は同底面側から見た平面図、図３は上部筐体より第２プリント基板を外した状態の断面図、図４は同底面側から見た斜視図、図５はプリント基板の取り付け構造の分解斜視図、図６は同組み立て状態の断面図である。
【００２３】
図１ないし図４に示す電話機は、樹脂により成形された下面が開口する上部筐体１を有しており、下面開口は図示しない下部筐体により閉塞されている。
【００２４】
上部筐体１の上面は操作パネル１ａとなっていて、電話機を机上等に置いた場合、手前側が低くなるよう傾斜されており、操作パネル１ａには、テンキーや機能キー等の操作ボタン群２が設けられている。
【００２５】
操作パネル１ａの例えば左側方には、ハンドセット載置部１ｂが設けられていて、ハンドセット載置部１ｂには、ハンドセット３が着脱自在に載置されており、操作パネル１ａの上部には、液晶表示パネル４ａを備えた表示手段４が起伏自在に設けられている。
【００２６】
上部筐体１内には図２に示すように、ハンドセット載置部１ｂの裏側にスピーカ５や複数の電子部品６が実装されており、操作パネル１ａの裏側に複数枚、例えば２枚の第１、第２プリント基板７，８が上下２段に設けられている。
【００２７】
上段の第１プリント基板７はメイン基板で、多数の電子部品(図示せず)が実装されており、図３に示すように操作パネル１ａの裏側全体をほぼ覆う大きさに形成されていて、操作パネル１ａの裏面に突設された複数のボス９にタッピングビス等の固着具１１により操作パネル１ａとほぼ平行するように固定されている。
【００２８】
第１、第２プリント基板７，８を固定する複数のボス９，１０は、操作パネル１ａに対し図１に示すようにほぼ垂直に突設されていて、第１プリント基板７を固定するボス９は、第２プリント基板８を固定するボス１０より高さが低くなっている。
【００２９】
第１プリント基板７を固定する複数のボス９は、ほぼ同じ高さとなっていて、第１プリント基板７側には、各ボス９と合致する位置に円孔よりなる取り付け孔７ａが穿設されており、これら取り付け孔７ａより挿入した固着具１１を、各ボス９の先端に螺挿することにより、上部筐体１内に第１プリント基板７が操作パネル１ａとほぼ平行するように固定されている。
【００３０】
一方第２プリント基板８は、サブ基板となっていて、メインの第１プリント基板７に対してほぼ３分の１程度の大きさの長方形状に形成されており、図示しない電子部品が実装されている。
【００３１】
第２プリント基板８は図３に示すように、第１プリント基板７の下側に重なるように上部筐体１内に設けられていて、操作パネル１ａの裏面に突設された複数、例えば３個のボス１０上に傾斜するように取り付けられている。
【００３２】
第２プリント基板８を傾斜した状態で固定する３個のボス１０のうち、２個のボス１０ａ，１０ｂは第１プリント基板７を貫通して、図１に示すように第１プリント基板７の下方へ突出されており、残りの１個のボス１０ｃはハンドセット載置部１ｂの裏面に突設されていて、先端部に位置決め突起１０ｄが突設されている。
【００３３】
これらボス１０ａ，１０ｂ，１０ｃのうち、１個１０ａは第２プリント基板８の一端側に位置し、別の1個１０ｂは第２プリント基板８の他端側隅角部に位置しており、位置決め突起１０ｄが突設されたボス１０ｃは、第２プリント基板８の他端縁より突設された突出片８ａに位置していて、各ボス１０ａ，１０ｂ，１０ｃの先端面は、第２プリント基板８の傾斜角とほぼ同じ角度で傾斜する傾斜面１０ｇとなっている。
【００３４】
第２プリント基板８は、第１プリント基板７に重ねた状態で上部筐体１内に収容した場合でも筐体全体が厚くならないように、上部筐体１の手前側は、操作パネル１ａとプリント基板８の間の間隔が狭く、また上部筐体１の後部側では間隔が広くなるように傾斜されており、その結果電話機を机上等に載置した場合、底面と第２プリント基板８がほぼ平行するようになっている。
【００３５】
第２プリント基板８の一端側には、ボス１０ａと合致する位置に図５に示すように第２プリント基板８の傾斜方向に細長い長孔８ｂが穿設されていて、この長孔８ｂにボス１０ａの先端面に突設された一対のリブ１０ｅが嵌合されている。
【００３６】
各リブ１０ｅは、ボス１０ａの先端に形成されたボス孔１０ｆを挟んで長孔８ｂの長手方向、すなわち第２プリント基板８の傾斜方向に対向するように設けられていて、ボス１０ａの先端面１０ｇが第２プリント基板８の傾斜に合せて予め傾斜されているのに対して、各リブ１０ｅの先端面は、ボス１０ａの軸線に対し直角となっている。
【００３７】
ボス１０ａに第２プリント基板８を固定するタッピングビス等の固着具１１は、ボス１０ａの外径とほぼ同径か、やや大径な頭部１１ａを有していて、第２プリント基板８の長孔８ｂをボス１０ａ先端のリブ１０ｅに嵌合した状態で、固着具１１をボス孔１０ｆに螺挿することにより、固着具１１の頭部１１ａが長孔８ｂを上方より覆うため、頭部１１ａが長孔８ｂの周辺部に係止されて、ボス１０ａの先端に第２プリント基板８の一端側を仮り止めできるようになっており、この状態でさらに固着具１１を締め込んでも、固着具１１の頭部１１ａがリブ１０ｅの先端面に圧着されるだけで、第２プリント基板８の長孔８ｂ周辺部に過大な圧着力が作用することがない。
【００３８】
また第２プリント基板８の他端側隅角部を支持するボス１０ｂと合致する位置には、ボス１０ｂの傾斜面１０ｇに突設された嵌合部１０ｈの外径よりやや大径な嵌合孔８ｃが穿設されていて、この嵌合孔８ｃをボス１０ｂの嵌合部１０ｈに嵌合した状態で、下部筐体に突設されたボスの先端に設けられた嵌合突起(ともに図示せず)をボス１０ｂのボス孔１０ｆに嵌合することにより、上部筐体１のボス１０ｂと下部筐体のボスとの間で第２プリント基板８の隅角部が挟着固定されるようになっている。
【００３９】
さらに第２プリント基板８の他端側に突設された突出片８ａを支持するボス１０ｃと合致する位置には、位置決め孔８ｄが穿設されていて、ボス１０ｃの先端に突設された位置決め突起１０ｄにこの位置決め孔８ｄを嵌合することにより、上部筐体１に対し第２プリント基板８が位置決めできるようになっている。
【００４０】
次に前記構成された電子機器のプリント基板取り付け構造の作用を説明する。
【００４１】
電話機の上部筐体１内に２枚の第１、第２プリント基板７，８を組み込むに当っては、まずサイズの大きい第１プリント基板７を、筐体１の底側開口部を上向きにした状態で、複数のボス９上に第１プリント基板７を載置する。
【００４２】
複数のボス９は、高さがほぼ同じとなっているため、ボス９上の第１プリント基板７は、操作パネル１ａとほぼ平行するよう水平となるため、この状態で第１プリント基板７の取り付け孔７ａより挿入した固着具１１を各ボス９のボス孔(図示せず)に螺挿して、各ボス９に第１プリント基板７を取り付ける。
【００４３】
第１プリント基板７の取り付けが完了したら第２プリント基板８を取り付けるが、第２プリント基板８は、筐体全体の厚さを薄くするために、予め傾斜させて取り付けるようになっている。
【００４４】
第２プリント基板８の取り付けに当っては、まず突出片８ａに穿設された位置決め孔８ｄに、ハンドセット載置部１ｂの裏面に突設されたボス１０ｃ先端の位置決め突起１０ｄを嵌合して第２プリント基板８を位置決めし、この状態で第２プリント基板８の一端側に穿設された長孔８ｂを、ボス１０ａの先端に突設された一対のリブ１０ｅに嵌合する。
【００４５】
そしてこの状態でボス１０ａのボス孔１０ｆに固着具１１を螺挿して締め込むと、図６に示すように固着具１１の頭部１１ａがリブ１０ｅの先端面に当接した状態では、長孔８ｂの周縁が固着具１１の頭部１１ａに係止されるため、上部筐体１に対し第２プリント基板８を傾斜させた状態で仮り止めすることができ、この状態でさらに固着具１１を締め付けても、固着具１１の頭部１１ａがリブ１０ｅの上面に圧着されるだけで、第２プリント基板８の長孔８ｂ周辺に過大な締め付け力が作用することがないため、長孔８ｂの周辺にクラックが発生するのを防止することができる。
【００４６】
以上のようにして上部筐体１内に第１、第２プリント基板７，８やその他の電子部品６を組み込んだら、最後に上部筐体１の底面側開口部を下部筐体により覆った状態で、上部筐体１に下部筐体を固着具により固定するもので、このとき下部筐体側に突設されたボスの先端の嵌合突起が上部体１側のボス１０ｂのボス孔１０ｆ孔に嵌合されるため、固着具１１により仮り止め状態となっている第２プリント基板８が上部筐体１内に本固定されるようになる。
【００４７】
なお前記実施の形態では、上部筐体１の上面に対し第２プリント基板８を傾斜させた場合について説明したが、下筐体１の底面に対し第２プリント基板８を傾斜させる場合も、同様な取り付け構造が採用できるものである。
【００４８】
また前記実施の形態では、電子機器が電話機の場合について説明したが、筐体内に複数のプリント基板が設けられ、かつその一部または全部が傾斜された状態で筐体固定されている電子機器全般に適用できるものである。
【産業上の利用可能性】
【００４９】
本発明の電子機器のプリント基板取り付け構造は、固着具の頭部がリブの先端面に当接した状態で、長孔の周縁部が固着具の頭部に係止されるため、筐体に対しプリント基板を傾斜させた状態で仮り止めすることができると共に、この状態でさらに固着具を締め付けても、固着具の頭部がリブの先端面に圧着されるだけで、プリント基板の長孔周辺に過大な締め付け力が作用することがないため、長孔の周辺にクラックが発生するのを防止するとともに、ボスの白化現象やクラックが発生するのを防止できるため、電子機器の筐体内に設けられたプリント基板の取り付け構造及びプリント基板取り付け構造を使用した電話機等に最適である。
【図面の簡単な説明】
【００５０】
【図１】本発明の実施の形態になる電子機器のプリント基板取り付け構造を示す断面図
【図２】本発明の実施の形態になる電子機器のプリント基板取り付け構造を示す底面図
【図３】本発明の実施の形態になる電子機器のプリント基板取り付け構造を示す分解断面図
【図４】本発明の実施の形態になる電子機器のプリント基板取り付け構造を示す分解斜視図
【図５】本発明の実施の形態になる電子機器のプリント基板取り付け構造を示す要部の分解斜視図
【図６】本発明の実施の形態になる電子機器のプリント基板取り付け構造を示す要部の組み立て状態の断面図
【符号の説明】
【００５１】
１      筐体（上部筐体）
１ａ    操作パネル
２      操作ボタン群
３      ハンドセット
８      プリント基板
８ｂ    長孔
１０ａ    ボス
１０ｅ    リブ
１０ｆ    ボス孔
１０ｇ    傾斜面
１１      固着具
１１ａ    頭部
【図１】
2006210382.tif 000003
【図２】
2006210382.tif 000004
【図３】
2006210382.tif 000005
【図４】
2006210382.tif 000006
【図５】
2006210382.tif 000007
【図６】
2006210382.tif 000008